(57)【要約】【課題】本発明は、枕がそれを使用する者にとって適正であるか否かを、寝具店の店内や家庭において簡単に確認できる簡易な定規を提供することを目的とする。【解決手段】本発明に係る適正枕を確認するための定規Ａは、枠体又は一部に透明部を設けた平板よりなる基材よりなり、当該基材は、少なくとも底辺ａが直線状であり、この底辺に対して垂直な垂直直線部１０とこの底辺に対して一定間隔をおいて平行な水平直線部２０とが表示されており、前記垂直直線部には、その特定位置に仰臥状態基準部１１が設けられ、前記水平直線部には、その特定位置に横臥状態基準部２１が設けられ、前記透明部は、前記仰臥状態基準部と、前記仰臥状態基準部から延び、前記垂直直線部を基準として傾いた角度をなす第１傾斜線１２と前記第１傾斜線よりさらに傾いた角度をなす第２傾斜線１３との間の三角状確認部１４と、前記横臥状態基準部と、前記底辺と前記水平直線部との間の矩形状確認部２２とから構成される。【選択図】  図１
2019066282.tif 000002
【特許請求の範囲】
【請求項１】
枠体又は一部に透明部を設けた平板よりなる基材において、
当該基材は、少なくとも底辺が直線状であり、この底辺に対して垂直な垂直直線部が表示されており、
前記垂直直線部には、その特定位置に仰臥状態基準部が設けられ、
前記透明部は、前記仰臥状態基準部と、前記仰臥状態基準部から延び、前記垂直直線部を基準として傾いた角度をなす第１傾斜線と前記第１傾斜線よりさらに傾いた角度をなす第２傾斜線との間の三角状確認部とから構成される
ことを特徴とする適正枕を確認するための定規。
【請求項２】
枠体又は一部に透明部を設けた平板よりなる基材において、
当該基材は、少なくとも底辺が直線状であり、この底辺に対して垂直な垂直直線部が表示されており、
前記垂直直線部には、その特定位置に仰臥状態基準部が設けられ、
前記透明部は、前記仰臥状態基準部と、前記仰臥状態基準部から延び、前記垂直直線部を基準として傾いた角度をなす第１傾斜線と前記第１傾斜線よりさらに傾いた角度をなす第２傾斜線との間の三角状確認部とを除いた部分から構成される
ことを特徴とする適正枕を確認するための定規。
【請求項３】
前記仰臥状態基準部は、枕使用者の耳の位置に合わせる
ことを特徴とする請求項１又は２に記載の適正枕を確認するための定規。
【請求項４】
前記第１傾斜線は枕使用者の口方向へ５°傾いた角度であり、
前記第２傾斜線は枕使用者の口方向へ１５°傾いた角度である
ことを特徴とする請求項１〜３のいずれか１項に記載の適正枕を確認するための定規。
【請求項５】
枠体又は一部に透明部を設けた平板よりなる基材において、
当該基材は、少なくとも底辺が直線状であり、この底辺に対して一定間隔をおいて平行な水平直線部が表示されており、
前記水平直線部には、その特定位置に横臥状態基準部が設けられ、
前記透明部は、前記横臥状態基準部と、前記底辺と前記水平直線部との間の矩形状確認部とから構成される
ことを特徴とする適正枕を確認するための定規。
【請求項６】
枠体又は一部に透明部を設けた平板よりなる基材において、
当該基材は、少なくとも底辺が直線状であり、この底辺に対して一定間隔をおいて平行な水平直線部が表示されており、
前記水平直線部には、その特定位置に横臥状態基準部が設けられ、
前記透明部は、前記横臥状態基準部と、前記底辺と前記水平直線部との間の矩形状確認部とを除いた部分から構成される
ことを特徴とする適正枕を確認するための定規。
【請求項７】
前記横臥状態基準部は、枕使用者の喉の位置に合わせる
ことを特徴とする請求項５又は６に記載の適正枕を確認するための定規。
【請求項８】
前記矩形状確認部は、前記横臥状態基準部を基準としてその左右のいずれか一方又は双方である
ことを特徴とする請求項５〜７のいずれか１項に記載の適正枕を確認するための定規。
【請求項９】
枠体又は一部に透明部を設けた平板よりなる基材において、
当該基材は、少なくとも底辺が直線状であり、この底辺に対して垂直な垂直直線部とこの底辺に対して一定間隔をおいて平行な水平直線部とが表示されており、
前記垂直直線部には、その特定位置に仰臥状態基準部が設けられ、
前記仰臥状態基準部は、枕使用者の耳の位置に合わせ、
前記水平直線部には、その特定位置に横臥状態基準部が設けられ、
前記横臥状態基準部は、枕使用者の喉の位置に合わせ、
前記透明部は、前記仰臥状態基準部と、前記仰臥状態基準部から延び、前記垂直直線部を基準として傾いた角度をなす第１傾斜線と前記第１傾斜線よりさらに傾いた角度をなす第２傾斜線との間の三角状確認部と、前記横臥状態基準部と、前記底辺と前記水平直線部との間の矩形状確認部とから構成される
ことを特徴とする適正枕を確認するための定規。
【請求項１０】
枠体又は一部に透明部を設けた平板よりなる基材において、
当該基材は、少なくとも底辺が直線状であり、この底辺に対して垂直な垂直直線部とこの底辺に対して一定間隔をおいて平行な水平直線部とが表示されており、
前記垂直直線部には、その特定位置に仰臥状態基準部が設けられ、
前記仰臥状態基準部は、枕使用者の耳の位置に合わせ、
前記水平直線部には、その特定位置に横臥状態基準部が設けられ、
前記横臥状態基準部は、枕使用者の喉の位置に合わせ、
前記透明部は、前記仰臥状態基準部と、前記仰臥状態基準部から延び、前記垂直直線部を基準として傾いた角度をなす第１傾斜線と前記第１傾斜線よりさらに傾いた角度をなす第２傾斜線との間の三角状確認部と、前記横臥状態基準部と、前記底辺と前記水平直線部との間の矩形状確認部とを除いた部分から構成される
ことを特徴とする適正枕を確認するための定規。
【請求項１１】
前記第１傾斜線は枕使用者の口方向へ５°傾いた角度であり、
前記第２傾斜線は枕使用者の口方向へ１５°傾いた角度である
ことを特徴とする請求項９又は１０に記載の適正枕を確認するための定規。
【発明の詳細な説明】
【技術分野】
【０００１】
本発明は、枕がそれを使用する枕使用者にとって適正であるか不適正であるかを確認するための適正枕を確認するための定規に関する。
【背景技術】
【０００２】
従来より、枕がそれを使用する者にとって適正であるか否かをどのように測定し、かつ、確認するかが種々検討されてきた。そのために、高度な角度測定器や複雑な装置を使用し、枕を使用している状態の使用者の首の曲がり具合等を測定するなどのことが行われているが、寝具店の店内や家庭において簡単に確認できる装置は提案されていなかった。
【発明の概要】
【発明が解決しようとする課題】
【０００３】
そこで、本発明者は、鋭意研究を重ね、枕がそれを使用する者にとって適正であるか否かを、寝具店の店内や家庭において簡単に確認できる簡易な定規を開発した。
【課題を解決するための手段】
【０００４】
本発明の請求項１に係る適正枕を確認するための定規は、枠体又は一部に透明部を設けた平板よりなる基材において、当該基材は、少なくとも底辺が直線状であり、この底辺に対して垂直な垂直直線部が表示されており、前記垂直直線部には、その特定位置に仰臥状態基準部が設けられ、前記透明部は、前記仰臥状態基準部と、前記仰臥状態基準部から延び、前記垂直直線部を基準として傾いた角度をなす第１傾斜線と前記第１傾斜線よりさらに傾いた角度をなす第２傾斜線との間の三角状確認部とから構成されることを特徴とする。
【０００５】
本発明の請求項２に係る適正枕を確認するための定規は、枠体又は一部に透明部を設けた平板よりなる基材において、当該基材は、少なくとも底辺が直線状であり、この底辺に対して垂直な垂直直線部が表示されており、前記垂直直線部には、その特定位置に仰臥状態基準部が設けられ、前記透明部は、前記仰臥状態基準部と、前記仰臥状態基準部から延び、前記垂直直線部を基準として傾いた角度をなす第１傾斜線と前記第１傾斜線よりさらに傾いた角度をなす第２傾斜線との間の三角状確認部とを除いた部分から構成されることを特徴とする。
【０００６】
本発明の請求項３に係る適正枕を確認するための定規は、上記請求項１又は２に記載の構成に加えて、前記仰臥状態基準部は、枕使用者の耳の位置に合わせることを特徴とする。
【０００７】
本発明の請求項４に係る適正枕を確認するための定規は、上記請求項１〜３のいずれか１項に記載の構成に加えて、前記第１傾斜線は枕使用者の口方向へ５°傾いた角度であり、前記第２傾斜線は枕使用者の口方向へ１５°傾いた角度であることを特徴とする。
【０００８】
本発明の請求項５に係る適正枕を確認するための定規は、枠体又は一部に透明部を設けた平板よりなる基材において、当該基材は、少なくとも底辺が直線上であり、この底辺に対して一定間隔をおいて平行な水平直線部が表示されており、前記水平直線部には、その特定位置に横臥状態基準部が設けられ、前記透明部は、前記横臥状態基準部と、前記底辺と前記水平直線部との間の矩形状確認部とから構成されることを特徴とする。
【０００９】
本発明の請求項６に係る適正枕を確認するための定規は、枠体又は一部に透明部を設けた平板よりなる基材において、当該基材は、少なくとも底辺が直線状であり、この底辺に対して一定間隔をおいて平行な水平直線部が表示されており、前記水平直線部には、その特定位置に横臥状態基準部が設けられ、前記透明部は、前記横臥状態基準部と、前記底辺と前記水平直線部との間の矩形状確認部とを除いた部分から構成されることを特徴とする。
【００１０】
本発明の請求項７に係る適正枕を確認するための定規は、上記請求項５又は６に記載の構成に加えて、前記横臥状態基準部は、枕使用者の喉の位置に合わせることを特徴とする。
【００１１】
本発明の請求項８に係る適正枕を確認するための定規は、上記請求項５〜７のいずれか１項に記載の構成に加えて、前記矩形状確認部は、前記横臥状態基準部を基準としてその左右のいずれか一方又は双方であることを特徴とする。
【００１２】
本発明の請求項９に係る適正枕を確認するための定規は、枠体又は一部に透明部を設けた平板よりなる基材において、当該基材は、少なくとも底辺が直線状であり、この底辺に対して垂直な垂直直線部とこの底辺に対して一定間隔をおいて平行な水平直線部とが表示されており、前記垂直直線部には、その特定位置に仰臥状態基準部が設けられ、前記仰臥状態基準部は、枕使用者の耳の位置に合わせ、前記水平直線部には、その特定位置に横臥状態基準部が設けられ、前記横臥状態基準部は、枕使用者の喉の位置に合わせ、前記透明部は、前記仰臥状態基準部と、前記仰臥状態基準部から延び、前記垂直直線部を基準として傾いた角度をなす第１傾斜線と前記第１傾斜線よりさらに傾いた角度をなす第２傾斜線との間の三角状確認部と、前記横臥状態基準部と、前記底辺と前記水平直線部との間の矩形状確認部とから構成されることを特徴とする。
【００１３】
本発明の請求項１０に係る適正枕を確認するための定規は、枠体又は一部に透明部を設けた平板よりなる基材において、当該基材は、少なくとも底辺が直線状であり、この底辺に対して垂直な垂直直線部とこの底辺に対して一定間隔をおいて平行な水平直線部とが表示されており、前記垂直直線部には、その特定位置に仰臥状態基準部が設けられ、前記仰臥状態基準部は、枕使用者の耳の位置に合わせ、前記水平直線部には、その特定位置に横臥状態基準部が設けられ、前記横臥状態基準部は、枕使用者の喉の位置に合わせ、前記透明部は、前記仰臥状態基準部と、前記仰臥状態基準部から延び、前記垂直直線部を基準として傾いた角度をなす第１傾斜線と前記第１傾斜線よりさらに傾いた角度をなす第２傾斜線との間の三角状確認部と、前記横臥状態基準部と、前記底辺と前記水平直線部との間の矩形状確認部とを除いた部分から構成されることを特徴とする。
【００１４】
本発明の請求項１１に係る適正枕を確認するための定規は、上記請求項９又は１０に記載の構成に加えて、前記第１傾斜線は枕使用者の口方向へ５°傾いた角度であり、前記第２傾斜線は枕使用者の口方向へ１５°傾いた角度であることを特徴とする。
【発明の効果】
【００１５】
上記のように適正枕を確認するための定規を構成したことにより、寝具店の店内や家庭において簡単に枕がそれを使用する枕使用者にとって適正であるか否かが確認できる効果があり、しかも、その製造が安価であるため寝具店の販促品としても利用することができる。
【図面の簡単な説明】
【００１６】
【図１】本発明の実施例１に係る適正枕を確認するための定規の正面図である。
【図２】本発明の実施例１に係る適正枕を確認するための定規を仰臥状態にある枕の使用者に使用した場合の説明図であって、図中の（ａ）は枕が適正な状態であることを示し、図中の（ｂ）は枕が低すぎる状態であることを示し、図中の（ｃ）は枕が高すぎる状態であることを示す。
【図３】本発明の実施例１に係る適正枕を確認するための定規を横臥状態にある枕の使用者に使用した場合の説明図であって、図中の（ａ）は枕が適正な状態であることを示し、図中の（ｂ）は枕が低すぎる状態であることを示し、図中の（ｃ）は枕が高すぎる状態であることを示す。
【発明を実施するための形態】
【００１７】
以下、本発明に係る適正枕を確認するための定規の好適な実施例について、添付の図面に基づき詳細に説明する。
【実施例１】
【００１８】
図１に示すＡは適正枕を確認するための定規（以下、単に「定規」という。）を示し、当該定規Ａは、仰臥状態にある枕使用者の枕が適正であるか不適正であるかを確認する機能と、横臥状態にある枕使用者の枕が適正であるか不適正であるかを確認する機能との両方の機能を有するものである。しかしながら、それぞれの機能を各別に有する２種類の定規を使用してもよい。
【００１９】
当該定規Ａは、基材となるものであって、一部に透明部を設けた、底辺ａが直線状である矩形状の平板よりなり、垂直直線部１０と水平直線部２０とが表示されている。当該垂直直線部１０は、底辺ａに対して垂直な線で表示されている。また、水平直線部２０は、底辺ａに対して一定間隔をおいて平行な線で表示されている。なお、当該平板は、底辺ａが直線上であれば、他の辺は必ずしも直線状でなくてもよい。また、当該基材は前記の平板に限られるものではなく、枠体で構成してもよく、垂直直線部や水平直線部及び後述する仰臥状態基準部、横臥状態基準部、第１傾斜線及び第２傾斜線をフレームの左右や上下を掛け渡す剛線や細幅のプラスチック体で構成してもよい。
【００２０】
前記垂直直線部１０には、その特定位置に仰臥状態基準部１１が設けられている。この仰臥状態基準部１１は、当該定規を使用する場合において、仰臥状態にある枕使用者の耳（厳密には耳門）の位置になるように特定する。なお、本実施例においては仰臥状態基準部１１の位置を前記のように特定したが、これに限られるものではなく、定規を使用する際の基準となる位置を特定して設定すればよい。
【００２１】
また、前記水平直線部２０には、その特定位置に横臥状態基準部２１が設けられている。この横臥状態基準部２１は、当該定規を使用する場合において、横臥状態にある枕使用者の喉（厳密には、喉の上下方向における中央）の位置になるように特定する。なお、本実施例においては横臥状態基準部２１の位置を前記のように特定したが、これに限られるものではなく、定規を使用する際の基準となる位置を特定して設定すればよい。
【００２２】
なお、本実施例においては、仰臥状態基準部１１と横臥状態基準部２１とを同位置に設けることにより、製造が容易であり、かつ、使用がし易い利点があるが、必ずしも同位置に設ける必要はない。
【００２３】
そして、当該定規Ａには、次に詳述する透明部が設けられている。
【００２４】
透明部は、仰臥状態基準部１１と、前記仰臥状態基準部１１から延び、前記垂直直線部１０を基準として傾いた角度をなす第１傾斜線１２と前記第１傾斜線１２よりさらに傾いた角度をなす第２傾斜線１３との間の三角状確認部１４とから構成されている。この角度は、仰臥状態における枕の適正に関する各種の試験結果によって５°〜１５°とされていることから、前記垂直直線部１０と第１傾斜線１２との間は、枕使用者の口方向へ５°傾いた角度に設定しており、前記垂直直線部１０と第２傾斜線１３との間は、枕使用者の口方向へ１５°傾いた角度に設定している。
【００２５】
これによって、後述するように、仰臥状態にある枕の使用者に対して枕が適正であるか不適正であるかを確認することが可能となる。
【００２６】
また、透明部は、横臥状態基準部２１と、上記Ａの直線状の底辺ａと前記水平直線部２０との間の矩形状確認部２２とから構成されている。なお、本実施例においては、透明とする矩形状確認部２２として、その全体を透明としているが、少なくとも頭部側２２ａが透明であれば、使用上の問題はない。
【００２７】
これによって、後述するように、横臥状態にある枕の使用者に対して枕が適正であるか不適正であるかを確認することが可能となる。
【００２８】
なお、上記した透明部について、それ以外の部分は、透明のまま又は不透明にしておいてもよいが、半透明にしておくと枕の使用者に対して枕が適正であるか不適正であるかを確認するのに便利である。また、当該定規Ａは、枕使用者が寝ている位置、すなわち頭の位置と足の位置に合わせて左右を裏返しに使用することも可能である。
【００２９】
さらに、上記した透明部について、上記実施例における仰臥状態基準部１１及び三角状確認部１４の一方又は双方を不透明又は半透明とし、それ以外の部分を透明部としてもよい。また、上記実施例における横臥状態基準部２１及び矩形状確認部２２の一方又は双方を不透明又は半透明とし、それ以外の部分を透明部としてもよい。
【００３０】
図２は、上記実施例１の定規Ａを使用して、仰臥状態にある枕の使用者を測定したものであり、仰臥状態基準部１１に枕使用者の耳の位置を合わせて、三角状確認部１４から枕使用者の目の位置を覗いた状態を示したものである。
【００３１】
図中の（ａ）は、三角状確認部１４から枕使用者の目が視認できるので、枕が適正な状態であることを示す。
【００３２】
図中の（ｂ）は、三角状確認部１４から枕使用者の目が視認できず、鼻が視認できるので、枕が低すぎる状態であることを示す。
【００３３】
図中の（ｃ）は、三角状確認部１４から枕使用者の目が確認できず、目の上方が視認できるので、枕が高すぎる状態であることを示す。
【００３４】
図３は、上記実施例１の定規Ａを使用して、横臥状態にある枕の使用者を測定したものであり、横臥状態基準部２１に枕使用者の喉（上下方向中央位置）の位置を合わせて、矩形状確認部２２から枕使用者の鼻の位置を覗いた状態を示したものである。
【００３５】
図中の（ａ）は、水平直線部２０が鼻尖（鼻先）上を通っているのが視認できるので、枕が適正な状態であることを示す。
【００３６】
図中の（ｂ）は、水平直線部２０の下に鼻尖（鼻先）が位置しているのを視認できるので、枕が低すぎる状態であることを示す。
【００３７】
図中の（ｃ）は、水平直線部２０の上に鼻尖（鼻先）が位置しているのを視認できるので、枕が高すぎる状態であることを示す。
【００３８】
以上詳述したように、本実施例に係る定規Ａは、上記のように構成したことにより、枕がそれを使用する者にとって適正であるか否かを、寝具店の店内や家庭において簡単に測定でき、確認できる効果があり、しかも、その製造が安価であって寝具店の販促品としても利用することができる。
【００３９】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４０】
Ａ・・・適正枕を確認するための定規
ａ・・・定規の底辺
１０・・垂直直線部
１１・・仰臥状態基準部
１２・・第１傾斜線
１３・・第２傾斜線
１４・・三角状確認部
２０・・水平直線部
２１・・横臥状態基準部
２２・・矩形状確認部
２２ａ・矩形状確認部の頭部側
【図１】
2019066282.tif 000003
【図２】
2019066282.tif 000004
【図３】
2019066282.tif 000005